(57)【要約】【課題】本発明の目的は、装着感を損なうことなく、効率的に後ろ漏れを防止することのできる吸収性物品及びその効率的な製造方法を提供することにある。【解決手段】本発明の吸収性物品１は、肌当接面Ｐ側に配された表面シート１２、非肌当接面側に配された裏面シート１３及びこれら両シート１２，１３間に配された吸収体１４を具備し、着用時に着用者の液排泄部に対向配置される排泄部対向部１Ｂ及び該排泄部対向部１Ｂより背中側に配される後方部１Ｃを有する。後方部１Ｃにおける吸収体１４には、複数本の高密度部１５，１５・・及び相隣り合う高密度部間に位置する低密度部１６が、それぞれ吸収性物品１の幅方向Ｙに延びて形成されている。【選択図】図１
2010136900.tif 000002
【特許請求の範囲】
【請求項１】
肌当接面側に配された表面シート、非肌当接面側に配された裏面シート及びこれら両シート間に配された吸収体を具備し、着用時に着用者の液排泄部に対向配置される排泄部対向部及び該排泄部対向部より背中側に配される後方部を有する吸収性物品であって、
前記後方部における前記吸収体に、複数本の高密度部及び高密度部間に位置する低密度部が、それぞれ吸収性物品の幅方向に延びて形成されている吸収性物品
【請求項２】
前記吸収体の厚みが、前記高密度部と前記低密度部とでほぼ同じである請求項１記載の吸収性物品。
【請求項３】
複数本の前記高密度部は、吸収性物品の後方に向かうほど長さが長くなっている請求項１又は２記載の吸収性物品。
【請求項４】
請求項１〜３の何れかに記載の吸収性物品の製造方法であって、
空気流に乗せて供給した繊維材料を、底面部に溝部を有する集積用凹部に吸引して堆積させ、該溝部に対応する凸条部を有する堆積体を得る工程、及び得られた堆積体を加圧し、前記凸条部を潰す工程を有する吸収体の製造工程を具備する吸収性物品の製造方法。
【請求項５】
前記堆積体を得る工程においては、前記繊維材料と共に、消臭剤、抗菌剤及び吸水性ポリマーの一以上を、空気流に乗せて供給し、これらの混合物を、前記集積用凹部に吸引して堆積させる、請求項４記載の吸収性物品の製造方法。
【請求項６】
前記堆積体を得る工程後に、繊維材料の体積体に、消臭剤、抗菌剤及び吸水性ポリマーの一以上を散布し、散布後の体積体に対して、前記凸条部を潰す工程を行う、請求項４記載の吸収性物品の製造方法。
【発明の詳細な説明】
【技術分野】
【０００１】
本発明は、生理用ナプキン、パンティライナー（おりものシート）、失禁パッド等の吸収性物品及びその製造方法に関する。
【背景技術】
【０００２】
従来、生理用ナプキン等の吸収性物品に関する技術として、就寝中に経血等の液が着用者の肌を伝って背中側から漏れ出す、いわゆる後ろ漏れを防止する技術が提案されている。
例えば、生理用ナプキンの後方部における吸収体の幅方向中央部を着用者の肌側にむかって隆起させ、その隆起した部分に、後方に向かって流れる液を吸い込ませる方法が知られている。
しかし、この方法は、吸収性物品の幅方向中央部が着用者の肌側に向かって凸状に盛り上がった形態となるため、吸収性物品が長手方向に湾曲したときに、吸収体の隆起部分の存在によって、吸収性物品が着用者の肌の形状に沿った形状に変形することが妨げられていた。
【０００３】
また、吸収体に関する技術として、特許文献１には、吸収体が、その中央部付近の横断面において幅方向に交互になるように疎水性材と親水性材とを配置したものである、吸収性物品が記載されている。また、特許文献２には、液透過性のトップシートと、バックシートと、両シート間に設けられた吸収コアとを有する積層体の横方向の中央領域の剛軟度を、横方向の両側領域で且つ吸収コアが存在している領域の剛軟度よりも高くした吸収性物品が提案されている。
【０００４】
【特許文献１】特開平１―２８５２６６号公報
【特許文献２】特開２０００−２２５１３８号公報
【発明の開示】
【発明が解決しようとする課題】
【０００５】
しかし、特許文献１の吸収性物品における吸収体は、疎水性材の液吸収阻害を利用して、液を長手方向に拡散させるものであり、後ろ漏れの防止については特に考慮されていない。
また、特許文献２の吸収性物品は、剛軟度を高めた領域が、横方向の中央部に長手方向に延びるように形成されているため、吸収性物品が長手方向に湾曲したときに、幅方向中央部の剛軟度を高めた領域の存在によって、吸収性物品が着用者の肌の形状に沿った形状に変形することが妨げられる。
【０００６】
従って、本発明の目的は、装着感を損なうことなく、効率的に後ろ漏れを防止することのできる吸収性物品を提供することにある。
また、本発明の目的は、装着感を損なうことなく、効率的に後ろ漏れを防止することのできる吸収性物品を効率的に製造し得る吸収性物品の製造方法を提供することにある。
【課題を解決するための手段】
【０００７】
本発明は、肌当接面側に配された表面シート、非肌当接面側に配された裏面シート及びこれら両シート間に配された吸収体を具備し、着用時に着用者の液排泄部に対向配置される排泄部対向部及び該排泄部対向部より背中側に配される後方部を有する吸収性物品であって、前記後方部における前記吸収体に、複数本の高密度部及び高密度部間に位置する低密度部が、それぞれ吸収性物品の幅方向に延びて形成されている吸収性物品を提供することにより前記目的を達成したものである。
【０００８】
また、本発明は、前記の吸収性物品の製造方法であって、空気流に乗せて供給した繊維材料を、底面部に溝部を有する集積用凹部に吸引して堆積させ、該溝部に対応する凸条部を有する堆積体を得る工程、及び得られた堆積体を加圧し、前記凸条部を潰す工程を有する吸収体の製造工程を具備する吸収性物品の製造方法を提供するものである。
【発明の効果】
【０００９】
本発明の吸収性物品によれば、装着感を損なうことなく、効率的に後ろ漏れを防止することができる。
本発明の吸収性物品の製造方法によれば、装着感を損なうことなく、効率的に後ろ漏れを防止することができる吸収性物品を効率的に製造することができる。
【発明を実施するための最良の形態】
【００１０】
以下に、本発明について、その好ましい一実施形態に基づき図面を参照しながら説明する。
本発明の吸収性物品の一実施形態である生理用ナプキン１（以下、単にナプキン１ともいう）は、就寝時の使用に適した夜用のナプキンである。
ナプキン１は、表面シート１２、裏面シート１３及びこれら両シート１２，１３間に位置する吸収体１４を備えた縦長の本体部分１１と、該本体部分１１の長手方向の左右両側方に形成された、一対のウイング部１７，１７及び一対の後方フラップ部１８，１８とを備えている。
【００１１】
表面シート１２は、ナプキン１における、着用時に着用者の肌に当接される肌当接面Ｐを形成し、裏面シート１３は、該ナプキン１における、肌当接面Ｐとは反対側の面である非肌当接面Ｑを形成している。ナプキン１における非肌当接面Ｑは、着用時にショーツのクロッチ部等、衣類側に向けられる。ナプキン１の非肌当接面Ｑ側には、ナプキン１を、ショーツ等の下着のクロッチ部に固定するための粘着部１９が設けられている。一対のウイング部１７，１７には、ショーツの外面（非肌対向面）に固定するためのウイング部粘着層（図示せず）が設けられている。後部フラップ１８，１８は、ナプキン１の着用時に、ショーツの内面（肌対向面）上に配される。
ナプキン１は、縦長の形状を有し、その長手方向を、着用時に着用者の腹寄りに配される前方部１Ａと、着用者の液排泄部（膣口）に対向配置される液排泄部対向部１Ｂと、着用時に着用者の背中寄りに配される後方部１Ｃとに区分される。本ナプキン１における液排泄部対向部１Ｂは、左右に一対のウイング部１７，１７を有する部分である。
【００１２】
表面シート１２は、液透過性の中央シート１２ａと、中央シート１２ａの両側部に接合された一対のサイドシート１２ｂ，１２ｂとからなる。サイドシート１２ｂは、ナプキン１の中央側の側縁部を中央シート１２ａ上に重ねた状態で、該側縁部からやや幅方向の外方の位置において中央シート１２ａに接合されている。
表面シート１２と裏面シート１３とは、吸収体１４の周縁部より外方においては接着剤（ホットメルト接着剤等）により互いに接合されており、且つナプキン１の周縁部においては更に熱シールにより接合されている。表面シート１２と吸収体１４との間、吸収体１４と裏面シート１３との間も、ドット、スパイラル、ストライプ等のパターン塗工された接着剤（ホットメルト接着剤等）により互いに接合されている。
【００１３】
表面シート１２及び裏面シート１３としては、従来この種の物品に使用されているものを特に制限なく用いることができる。例えば、表面シート１２の中央シート１２ａとしては、液透過性のものが用いられ、各種透水性の不織布や、樹脂フィルムに多数の開孔を形成した開孔フィルム等を用いることができる。本発明における吸収体は、液の取り込み性に優れているため、上下２層の繊維層からなり、下層の繊維層が、収縮させた熱収縮性繊維（潜在捲縮性繊維等）を含む表面シート（特に中央シート１２ａ）と組み合わせても、表面シートから吸収体への良好な液の吸い込み性が得られる。表面シート１２のサイドシート１２ｂとしては、撥水性の不織布や、樹脂フィルム、不織布と樹脂フィルムの積層体等を用いることができる。
【００１４】
吸収体１４は、パルプ繊維等の繊維材料からなる吸収性コア又は該吸収性コアの繊維間に高吸水性ポリマーを保持させてなる吸収性コアを、ティッシュペーパーや透水性の不織布からなるコアラップシート（図示略）で被覆してなる。
吸収性コアを構成する繊維材料としては、従来、生理用ナプキンやパンティライナー、使い捨ておむつ等の吸収性物品の吸収体に用いられている各種のものを特に制限なく用いることができ、例えば、パルプ繊維、レーヨン繊維、コットン繊維等のセルロース系繊維の短繊維や、ポリエチレン等の合成繊維の短繊維等が用いられる。これらの繊維は、１種を単独で又は２種以上を組み合わせて用いることができる。また、繊維材料は、全体又は一部がパルプ繊維であることが好ましく、繊維材料中のパルプ繊維の割合は５０〜１００質量％であることが好ましく、より好ましくは８０〜１００質量％であり、更に好ましくは１００質量％である。尚、吸収性コアには、繊維材料以外に、消臭剤や抗菌剤等を必要に応じて配合しても良い。また、吸水性ポリマーを配合しても良い。
【００１５】
ナプキン１における吸収体１４は、図１及び図２に示すように、後方部１Ｃに、列状粗密構造部１００を有している。
列状粗密構造部１００は、構成繊維が密な状態に存在する平面視帯状の４本の高密度部１５と高密度部１５に比較して構成繊維が粗な状態に存在する平面視帯状の３本の低密度部１６とを有している。３本の低密度部１６は、それぞれ、高密度部１５どうし間に位置している。
高密度部１５及び低密度部１６は、それぞれ、ナプキン１の幅方向（図中Ｙ方向）に延びて形成されており、それらの高密度部１５及び低密度部１６が、ナプキン１の長手方向（図中Ｘ方向）に交互に形成されている。また、Ｘ方向の両端に位置する２つの高密度部１５それぞれの外方は、高密度部１５に比較して構成繊維が粗な状態に存在する非帯状低密度部１６ｂとなっている。非帯状低密度部１６ｂは、吸収体１４における、列状粗密構造部１００及び後述する第２列状粗密構造部２００以外の部分に拡がっている。
高密度部１５は、低密度部１６との比較において繊維材料の密度が高い部分であり、低密度部１６は、高密度部１５との比較において繊維材料の密度が低い部分である。
【００１６】
ナプキン１における吸収体１４の厚みは、高密度部１５と低密度部１６とでほぼ同じである。
吸収体１４の厚みが、高密度部１５と低密度部１６とでほぼ同じとは、以下のようにして測定した、高密度部１５の厚みＴ５と低密度部１６の厚みＴ６との比（Ｔ５／Ｔ６）がほぼ１.０であることをいう。高密度部１５の厚みＴ５と低密度部１６の厚みＴ６との比（Ｔ５／Ｔ６）は、１．０に近いことが、吸収体の着用者側に突出した凸状構造を形成しないことから、着用者にナプキン装着による違和感を与えない点から好ましく、例えば、１．０〜１．２であることが好ましく、より好ましくは１．０〜１．１である。
【００１７】
〔高密度部及び低密度部の厚み測定方法〕
高密度部１５及び低密度部１６の厚みは、吸収体１４より各々の部位を長さ３０ｍｍ、幅５ｍｍの大きさに切り出し、定圧式厚み計を用いて測定した。そのときの圧力は０．５ｇ／ｃｍ2であった。
【００１８】
高密度部１５の幅Ｗ１（図２参照）は、５〜２０ｍｍ、特に５〜１０ｍｍであることが好ましく、低密度部１６の幅Ｗ２（図２参照）は、５〜２０ｍｍ、特に５〜２０ｍｍであることが好ましい。高密度部１５の幅Ｗ１と低密度部１６の幅Ｗ２の比（Ｗ１／Ｗ２）は、０．５０〜２．００、特に０．７５〜１．５０であることが好ましい。列状粗密構造部１００全体の幅Ｗ（Ｘ方向の長さ）は３０〜１５０ｍｍ、特に４０〜１２０ｍｍであることが好ましい。
【００１９】
本実施形態の列状粗密構造部１００においては、、４本の高密度部１５のＹ方向の長さは、ナプキン１の前端側の高密度部１５から後端側の高密度部１５に向かって次第に長くなっている。高密度部１５のＹ方向の長さは、その高密度部１５の位置における吸収体１４のＹ方向の長さの４０〜９０％、特に５０〜８０％であることが好ましい。本実施形態のように、列状粗密構造部１００に長さの異なる高密度部１５を有する場合、最も長い高密度部１５ｄのＹ方向の長さが上記範囲であることが好ましい。
【００２０】
また、列状粗密構造部１００中に含まれる高密度部１５の本数は、２本以上であり、より好ましくは３以上、更に好ましくは４本以上である。上限は特に制限されないが、１５本以下が好ましく、１２本以下がより好ましい。
【００２１】
本実施形態のナプキン１においては、後方部１Ｃにおける吸収体１４に、上述した構成の列状粗密構造部１００が形成されている。
そのため、着用者の液排泄部から排泄された液（経血等）が、後方部１Ｃに流れてきたときに、強い毛管力が働き液の引き込み性に優れる高密度部１５のうち、最も液排泄部に近い高密度部１５ａで素早く吸収、保持される。着用者の液排泄部から排泄された液（経血等）が繰り返し後方部１Ｃに流れてきた場合は、ナプキン（吸収性物品）長手方向のより後方に存在する高密度部（１５ｂ，１５ｃ，１５ｄ）で順次液が吸収、保持されるため、液はナプキンの後端部に伝達しにくく、ナプキン後部からの液の漏れが防止される。
また、列状粗密構造部１００は、ナプキン１の長手方向に沿う断面形状が凹状となるように容易に変形する。そのため、ナプキン１は特にその後部において装着者の体の形状に沿うように変形し、液排泄部から排泄された液が着用者の肌を伝達することなく素早く吸収されるので、ナプキン後部からの液の漏れが防止される。
【００２２】
このような効果を確実に得る観点から、列状粗密構造部１００における、高密度部１５の密度（繊維材料の密度）は、０．０５〜０．４０、特に０．１０〜０．３０であることが好ましく、低密度部１６の密度（繊維材料の密度）は、０．０２〜０．２０、特に０．０５〜０．１５であることが好ましい。
高密度部１５の密度（繊維材料の密度）と低密度部１６の密度（繊維材料の密度）との比（前者／後者）は、１．２〜４．０、特に１．５〜３．０であることが好ましい。
【００２３】
繊維材料と共に、消臭剤、抗菌剤及び吸水性ポリマーの一以上、特にこれらの全てを、空気流に乗せて供給し、これらの混合物を、集積用凹部に吸引して堆積させ、得られた堆積体を加圧して高密度部１５と低密度部１６を形成する製造方法の場合には、列状粗密構造部１００における、高密度部１５の全材料の密度が０．０５〜０．４０、特に０．１０〜０．３０であることが好ましく、低密度部１６の全材料の密度が０．０２〜０．２０、特に０．０５〜０．５０であることが好ましい。
高密度部１５の全材料の密度と低密度部１６の全材料の密度との比（前者／後者）は、１．２〜４．０、特に１．５〜３．０であることが好ましい。
【００２４】
〔高密度部及び低密度部の全材料の密度の測定方法〕
吸収体１４より各々の部位を長さ３０ｍｍ、幅５ｍｍの大きさに切り出しサンプルを調製し、電子天秤（Ａ＆Ｄ社製電子天秤ＧＲ−３００、精度：小数点以下４桁）を用いサンプルの重量を測定した。定圧式厚み計を用い、サンプル厚みを測定し、測定したサンプルの重量を、サンプルの体積（厚み×長さ×幅）で除して各々の部位の全材料の密度を算出した。尚、低圧式厚み計の測定時圧力は０．５ｇ／ｃｍ2であった。
〔高密度部及び低密度部の密度（繊維材料の密度）の測定方法〕
上記と同様にして調製したサンプル中に含まれる繊維材料の重量を求め、求めた繊維材料の重量を、サンプルの体積で除す以外は、上記と同様にして、各々の部位の密度（繊維材料の密度）を算出した。
【００２５】
また、列状粗密構造部１００は、高密度部１５と低密度部１６とが、ナプキン１の幅方向に延びて形成されており、低密度部１６が柔軟に変形するため、列状粗密構造部１００が着用者に違和感を与えにくい。また、列状粗密構造部１００は、ナプキン１の長手方向に沿う断面形状が凹状となるように容易に変形する。そのため、吸収体１４及びナプキン１が、着用者の液排泄部から背中側に掛けての肌面形状に良好にフィットし、優れた装着感が得られると共に、後ろ漏れ防止性も一層向上する。
【００２６】
ナプキン１における吸収体１４は、図１及び図３に示すように、排泄部対向部１Ｂに、第２列状粗密構造部２００を有している。
第２列状粗密構造部２００は、それが形成されている部位が排泄部対向部１Ｂである点、高密度部１５及び低密度部１６が延びている方向がナプキン１の長手方向（Ｘ方向）である点、及び４本の高密度部１５の長さ（Ｘ方向の長さ）が等しい点が、上述した排泄部対向部１Ｂと異なる以外は、排泄部対向部１Ｂと同様の構造を有している。第２列状粗密構造部２００の構造について特に説明しない点（好ましい構成を含む）は、排泄部対向部１Ｂと同様であり、排泄部対向部１Ｂについての説明が適宜適用される。
【００２７】
第２列状粗密構造部２００における、高密度部１５の長さ（Ｘ方向の長さ）及び該高密度部１５と並行する低密度部１６の長さ（Ｘ方向の長さ）は、吸収体１４の全長の１０〜６０％であることが好ましく、より好ましくは２０〜５０％である。
【００２８】
第２列状粗密構造部２００における、高密度部１５の幅Ｗ３（Ｙ方向の長さ）は、該高密度部１５が存する部分の吸収体１４の全幅（Ｙ方向の長さ）の３〜３０％であることが好ましく、より好ましくは５〜２０％であり、高密度部１５間に位置する低密度部１６の幅Ｗ４（Ｙ方向の長さ）も同様である。
【００２９】
高密度部１５の幅Ｗ３は、５〜２０ｍｍ、特に５〜１０ｍｍであることが好ましく、低密度部１６の幅Ｗ４は、５〜２０ｍｍ、特に５〜１０ｍｍであることが好ましい。高密度部１５の幅Ｗ３と低密度部１６の幅Ｗ４の比（Ｗ３／Ｗ４）は、０．５０〜２．００、特に０．７５〜１．５０であることが好ましい。
第２列状粗密構造部２００全体の幅（Ｙ方向の長さ）は、第２列状粗密構造部２００を有する部分における吸収体１４の幅の４０〜９０％、特に５０〜８０％であることが好ましい。
【００３０】
第２列状粗密構造部２００中に含まれる高密度部１５の本数は、２本以上であり、より好ましくは３本以上、更に好ましくは４本以上である。上限は特に制限されないが、１０本以下が好ましく、８本以下がより好ましい。
【００３１】
本実施形態のナプキン１においては、排泄部対向部１Ｂにおける吸収体１４に、上述した構造の第２列状粗密構造部２００が形成されている。
吸収体１４の第２列状粗密構造部２００においては、低密度部１６を有するため、ナプキン１上に排泄された液は、図４に示すように、素早く低密度部１６内に移行し、低密度部１６に移行した液は、粗密勾配により高密度部１５に拡散して該高密度部１５内に安定に保持される。このように高密度部１５及び低密度部１６が異なる役割を果たすことによって、本実施形態のナプキン１は、表面シートから吸収体への液の取り込み性及び液が表面シートに戻る液戻りを防止する性能（液戻り防止性）に優れている。
【００３２】
このような効果を確実に得る観点から、第２列状粗密構造部２００の高密度部１５の密度（繊維材料の密度）は、０．０５〜０．４０、特に０．１０〜０．３０であることが好ましく、第２列状粗密構造部２００の低密度部１６の密度（繊維材料の密度）は、０．０２〜０．２０、特に０．０５〜０．１５であることが好ましい。
第２列状粗密構造部２００における、高密度部１５の密度（繊維材料の密度）と低密度部１６の密度（繊維材料の密度）との比（前者／後者）は、１．２〜４．０、特に１．５〜３．０であることが好ましい。
【００３３】
また、本実施形態のナプキン１においては、排泄部対向部１Ｂに、高密度部１５及び低密度部１６がナプキン１の長手方向に沿っている第２列状粗密構造部２００を有するので、表面シート１２と吸収体１４との間や吸収体１４内を液がナプキン１の幅方向に拡散することが抑制される。そのため、本実施形態のナプキン１は、後ろ漏れ防止性に加えて、横漏れ防止性にも優れている。
【００３４】
更に、ナプキン１の幅方向から圧力が加わったときに、第２列状粗密構造部２００における、高密度部１５間に存する低密度部１６が柔軟に変形するので、高密度部１５を有するにも拘わらず、着用者の動きに対する追従性が良好であり、着用者に高密度部１５が不快感や違和感を与えること等も防止することができる。
【００３５】
次に、上述した生理用ナプキン１の好ましい製造方法について図５〜図７を参照して説明する。
図５は、生理用ナプキン１の吸収体１４の製造に好ましく用いられる吸収体の製造装置１０を示す図である。製造装置１０は、図５に示すように、外周面に複数の集積用凹部２１（堆積部）が所定の間隔で形成された回転ドラム２と、回転ドラム２の外周面に向けて、繊維材料４２を飛散状態にて供給するダクト３と、ダクト３に繊維材料４２を供給する繊維材料供給部４と、集積用凹部２１にあふれるように堆積させた過剰量の繊維材料を掻き取るスカッフィングロール５と、集積用凹部２１から離型した堆積体（吸収性コア）１４Ａの上下面をコアラップシート１４Ｂで被覆する被覆機構（図示せず）と、吸収性コア１４Ａを被覆シート１４Ｂで被覆して得られる吸収体連続体を、一対のプレスロール６１，６２間で加圧して圧縮する圧縮装置６と、圧縮後の吸収体連続体を、個々の生理用ナプキンに使用される寸法に切断して吸収体１４とする切断装置（図示せず）を備えている。
【００３６】
回転ドラム２は、円筒状をなし、図５中の矢印Ａ方向に一定速度で回転駆動される。回転ドラム２の外周面には、複数個の集積用凹部２１，２１・・が形成されている。回転ドラム２の内側（回転軸側）の非回転部分には、吸気ファン（図示せず）が接続されており、該吸気ファンの駆動により、回転ドラム内側の仕切られた空間Ｂ及びＣが負圧に維持される。個々の集積用凹部２１の底面部は、メッシュプレート２１ａにより構成され、多数の細孔を有している。個々の集積用凹部２１が、負圧に維持された空間Ｂ，Ｃ上を通過している間、各集積用凹部２１の底面部の細孔が吸引孔として機能する。集積用凹部２１の底面部２２には、図６に示すように、回転ドラム２の軸長方向に延びる複数本の溝部１２３と、回転ドラム２の周方向に延びる複数本の溝部２２３と周方向に延びて形成されている。
【００３７】
ダクト３は、回転ドラム２の外周面の一部を覆う一端部３１と、繊維材料供給装置４に接続された他端部３２とを有しており、空間Ｂ上に位置する集積用凹部２１の底面部からの吸引により、ダクト３内に、回転ドラム２の外周面に向けて流れる空気流が生じさせるように構成されている。繊維材料供給部４は、解繊機４１を備えており、パルプシート等のシート状の原料４３を、原料供給用のニップローラ４４，４４により解繊機４１に導入し、解繊された繊維材料４２をダクト３内に供給するように構成されている。
【００３８】
スカッフィングロール５は、周囲にブラシを有しており、該ブラシにより、集積用凹部２１内からあふれた繊維材料４２を掻き取る。スカッフィングロール５に掻き取られず集積用凹部２１内に残った堆積体（吸収性コア）１４Ａは、回転ドラム２の下方において集積用凹部２１から離型される。集積用凹部２１からの離型は、回転ドラム２内の仕切られた空間Ｄを図示しない加圧手段により陽圧に維持して、集積用凹部２１の底面部の細孔から空気を吹き出させると共に、バキュームコンベア７側から吸引することにより行う。
前記被覆機構は、バキュームコンベア７上に、コアラップシート１４Ｂを供給する公知の搬送機構と、コアラップシート上に堆積体（吸収性コア）１４Ａが載置された後に、該コアラップシートの両側部を、該堆積体（吸収性コア）１４Ａ上に折り返し、その折り返しにより、堆積体（吸収性コア）１４Ａの上下両面をコアラップシート１４Ｂで被覆するように構成されている。
【００３９】
図５に示す吸収体の製造装置１０を用いて、上述した吸収体１４を製造する方法について説明する。
先ず、回転ドラム２及びスカッフィングロール５を回転させると共に、上記吸気ファン及び上記加圧手段を作動させて、空間Ｂ及びＣを負圧にし空間Ｄを陽圧にする。また、バキュームコンベア７、圧縮装置６及び切断装置を作動させる。
吸気ファンの作動により、空間Ｂ上に位置する集積用凹部２１の底面部に吸引力が生じると共に、ダクト３内に、回転ドラム２の外周面に向けて流れる空気流が生じる。
そして、繊維材料供給装置４を作動させて、ダクト３内に繊維材料４２を供給すると、該繊維材料４２は、飛散状態となって、ダクト３内を流れる空気流に載って、回転ドラム２の外周面に向けて供給される。
【００４０】
個々の集積用凹部２１が、負圧に維持された空間Ｂ上を通過している間、ダクト３から供給される繊維材料４２が各集積用凹部２１に吸引されて堆積する。各集積用凹部２１には、やや過剰量の繊維材料を堆積させ、集積用凹部２１内からあふれる繊維材料がスカッフィングロール５で掻き取られる。スカッフィングロール５に掻き取られず集積用凹部２１内に残った堆積体（吸収性コア）１４Ａは、バキュームコンベア７上に供給されたコアラップシート１４Ｂ上に離型される。図７（ａ）は、コアラップシート１４Ｂ上に離型された堆積体（吸収性コア）１４Ａを示す図であり、堆積体（吸収性コア）１４Ａには、集積用凹部２１内の溝部１２３に対応する凸条部１１５Ａ、及び溝部２２３に対応する凸条部２１５Ａが形成されている。
【００４１】
コアラップシート１４Ｂ上の堆積体（吸収性コア）１４Ａは、折り返されたコアラップシート１４Ｂの両側部により凸条部１１５Ａ，２１５Ａを有する面も被覆された後、圧縮装置６に導入されて一対のプレスロール６１，６２間で加圧される。これにより、凸条部１１５Ａ，２１５Ａがつぶされる。凸条部１１５Ａ，２１５Ａがつぶされた後の吸収体連続体は、図示しない切断手段で切断されて、個々の生理用ナプキンに使用される寸法の吸収体１４となる。
得られた吸収体１４においては、図７（ｂ）に示すように、凸条部１１５Ａがつぶれた部分が、列状粗密構造部１００の高密度部１５となっており、凸条部２１５Ａがつぶれた部分が、第２列状粗密構造部２００の高密度部１５となっており、それ以外の部分が、列状粗密構造部１００若しくは第２列状粗密構造部２００の低密度部１６、又は非帯状低密度部１６ａとなっている。
生理用ナプキン１は、このようにして得られる吸収体１４を、表面シート１２の帯状原反と裏面シート１３の帯状原反との間に間欠的に配置した後、吸収体１４の周囲において、それらの表裏面シート間を接合し、次いで、個々の生理用ナプキンの寸法に切断することにより得られる。
【００４２】
以上、本発明の吸収性物品及びその製造方法について説明したが、本発明は、上述した実施形態に制限されず、適宜変更することができる。
例えば、列状粗密構造部１００及び／又は第２列状粗密構造部２００は、上述のようにして製造した吸収体の高密度部１５を、図８に示すように、非肌当接面側から更に加圧して圧縮したものであっても良い。図８に示す吸収体においては、高密度部１５に、この圧縮により凹部１９が形成されている。
高密度部１５の圧縮による凹部１９は、図８（ｃ）示すように、高密度部１５の長手方向に間欠的に形成することが、吸収体の柔軟性、特に高密度部１５と交差する方向の可撓性を向上させる点から好ましい。高密度部１５の圧縮は、例えば、周方向に直列配置された複数個の凸部からなる凸部列を軸長方向に多列に備えた凸ロールと、表面平滑なフラットロールとの間に、高密度部１５及び低密度部１６を形成した吸収体を導入し、該高密度部１５を選択的に加圧することにより行うことができる。
高密度部１５の更なる圧縮により、高密度部１５に更に高密度化した部分が生じるため、列状粗密構造部１００及び／又は第２列状粗密構造部２００液の引き込み性を一層向上させることができる。
【００４３】
また、上述したナプキン１における吸収体１４には、後方部に列状粗密構造部１００が形成され、排泄部対向部１Ｂに第２列状粗密構造部２００が形成されていたが、図９に示すように、第２列状粗密構造部２００をなくすこともできる。また、列状粗密構造部１００に設ける複数本の高密度部１５は、長さが等しいものであっても良く（図９参照）、吸収性物品の前端側の高密度部から後端側の高密度部に向かって長さが次第に短くなるものであっても良い。
【００４４】
また、生理用ナプキンは、ウイング部１７を有しないものであっても良く、後部フラップ部１８を有しないものであっても良く、ウイング部１７及び後部フラップ部１８を有しないものであっても良い。また、表面シートは、裏面シート１３と同形の一枚のシートからなるものであっても良い。
【００４５】
また、繊維材料に加えて、消臭剤、抗菌剤及び吸水性ポリマーの一以上を含む吸収体、例えば、繊維材料と吸水性ポリマーとを含む吸収体や、繊維材料、消臭剤、抗菌剤及び吸水性ポリマーの全てを含む吸収体を製造する方法としては、上述したように、繊維材料と、消臭剤、抗菌剤及び吸水性ポリマーの一以上とを混合積繊した後、凸条部を潰す方法があるが、他の方法として、繊維材料のみを空気流に乗せて供給し、該繊維材料を吸引堆積させて凸条部を有する堆積体を得た後、その堆積体に、消臭剤、抗菌剤及び吸水性ポリマーの一以上を散布し、その散布後の体積体に対して、凸条部を潰す工程を行う方法もある。消臭剤、抗菌剤及び吸水性ポリマーとしては、それぞれ、吸収性物品に従来用いられている各種のものを特に制限なく用いることができる。
【００４６】
また、本発明の吸収性物品は、生理用ナプキンの他、パンティライナー（おりものシート）、失禁パッド、使い捨ておむつ等の他の吸収性物品であっても良い。
上述した一の実施形態における説明省略部分及び一の実施形態のみが有する要件は、それぞれ他の実施形態に適宜適用することができ、また、各実施形態における要件は、適宜、実施形態間で相互に置換可能である。
【実施例】
【００４７】
以下、本発明を実施例を用いて更に説明するが、本発明は、かかる実施例によって何ら制限されるものではない。
〔実施例１〕
図１０（ａ）に示す構成の吸収体を製造した。吸収体の寸法は長さ３００ｍｍ、幅８０ｍｍとした。その吸収体には、凸条部を潰して形成した多数本の高密度部１５がそれぞれ吸収体の幅方向に延びて形成されていた。高密度部は、高さが２．２ｍｍ、幅が７．５ｍｍ、坪量が３７０ｇ／ｍ2、密度が０．１７ｇ／ｃｍ2であり、高密度部間の低密度部は、高さが２．０ｍｍ、幅が７．５ｍｍ、坪量が２１０ｇ／ｍ2、密度が０．１１ｇ／ｃｍ2であり、高密度部と低密度部の密度比は１．６０であった。高密度部と低密度部の前記密度比は、繊維材料の密度比であるが、全材料の密度比も略同じであった。
【００４８】
〔比較例１〕
図１０（ｂ）に示す構成の吸収体を製造した。吸収体の寸法は長さ３００ｍｍ、幅８０ｍｍとした。その吸収体には、直径２ｍｍの円形のエンボス部が全域に亘って千鳥状に形成されていた。エンボス部の中心点間のピッチは７ｍｍである。坪量（目付）は２５０ｇ／ｍ2であった。
【００４９】
〔比較例２〕
図１０（ｃ）に示す構成の吸収体を製造した。吸収体の寸法は長さ３００ｍｍ、幅８０ｍｍとした。その吸収体は、幅広の下部繊維層と該下部繊維層の中央部に載置された上部繊維層層とからなり、幅方向中央部に厚みの大きい中高部５２が長手方向に延びて形成されていた。その吸収体の中高部５２は、高さが５．０ｍｍ、幅が３０ｍｍであり、坪量が４６０ｇ／ｍ2であった。
【００５０】
〔評価〕
〔曲げ剛性〕
ＪＩＳ  Ｌ−１０９６（一般織物試験方法）に準じて、実施例及び比較例１及び２の吸収体（吸収性パッド）の曲げ剛性の評価を行った。評価装置は、大栄科学精器製作所社製のハンドロメーター（型式：ＨＯＭ−３）を用いた。ハンドロメーターのスリット幅は４０ｍｍに設定した。
試験用の吸収体（吸収体：幅８０ｍｍ×長さ３００ｍｍ）を、ロールプレスで約３０ｋｇ／ｃｍ2の荷重を加えた後に、吸収体後部端より７０ｍｍの部位で吸収体方向に沿って吸収体を曲げたときの曲げ剛性の評価を行った。図１０には、試験用の吸収体を曲げたときの屈曲線Ｅを示した。その測定結果を表１に示した。
【００５１】
〔後漏れ防止性〕
試験用の吸収体（吸収体：幅８０ｍｍ×長さ３００ｍｍ）を、ロールプレスで約３０ｋｇ／ｃｍ2の荷重を加えた後に、４５°の傾斜板に固定し、吸収体の後端部から１００ｍｍの位置に粘度を８．０±０．１ｃＰに調整した馬血を３ｇ、一定間隔ごとに繰り返し注入し、各注入の１分後に注入点より液が吸収体後方へ拡散した距離を測定した。測定結果を表１に併せて示した。
【００５２】
【表１】
2010136900.tif 000003
【００５３】
表１に示す結果から、本発明の発明品（実施例１）は、比較例１、２と比べて曲げ剛性が低く、柔らかいことが分かる。また、本発明の発明品（実施例１）は、比較例１と比べて後方への液拡散距離が短く、後方からの漏れ防止性能に優れ、中高吸収体を配した比較例２とほぼ同等の性能を有することが分かる。
【図面の簡単な説明】
【００５４】
【図１】図１は、本発明の吸収性物品の一実施形態を一部破断して示す平面図である。
【図２】図２は、図１のＩＩ−ＩＩ線断面を示す模式断面図である。
【図３】図３は、図１のＩＩＩ−ＩＩＩ線断面を示す模式断面図である。
【図４】図４は、吸収体の液の取り込み性を説明するための吸収体の模式断面図である。
【図５】図５は、本発明の吸収性物品の製造に好ましく用いられる吸収体の製造装置の概略を示す図である。
【図６】図６（ａ）は、底面部に溝部を有する集積用凹部を示す斜視図であり、図６（ｂ）は、その集積用凹部の内部に繊維材料が堆積した状態を示す断面図である。
【図７】図７（ａ）は、凸条部を有する堆積体（製造中間体）を示す斜視図であり、図７（ｂ）は、図７（ａ）の堆積体を用いて製造される吸収体を模式的に示す斜視図である。
【図８】図８は、本発明の吸収性物品の他の実施形態における吸収体を示す図であり、図８（ａ）は、高密度部が延びる方向に直交する平面で切断した吸収体を示す斜視図、図８（ｂ）は、高密度部が更に高密度化された部分に液が吸い込まれる様子を示す模式断面図、図８（ｃ）は、高密度部を吸収体の非肌当接面側から見た状態を示す図である。
【図９】図９は、本発明の吸収性物品の更に実施形態における吸収体を示す平面図である。
【図１０】実施例及び比較例に用いた吸収体の模式平面図である。
【符号の説明】
【００５５】
１  生理用ナプキン
１１  本体部分
１２  表面シート
１３  裏面シート
１４  吸収体
１４Ａ  堆積体（吸収性コア）
１４Ｂ  コアラップシート
１００  列状粗密構造部
１５  高密度部
１６  低密度部
２００  第２列状粗密構造部
１５  高密度部
１６  低密度部
１０  吸収体の製造装置
２  回転ドラム
２１  集積用凹部
３  ダクト
４  繊維材料供給部
４２  繊維材料
５  スカッフィングロール
６  圧縮装置
７  バキュームコンベア
【図１】
2010136900.tif 000004
【図２】
2010136900.tif 000005
【図３】
2010136900.tif 000006
【図４】
2010136900.tif 000007
【図５】
2010136900.tif 000008
【図６】
2010136900.tif 000009
【図７】
2010136900.tif 000010
【図８】
2010136900.tif 000011
【図９】
2010136900.tif 000012
【図１０】
2010136900.tif 000013